(57)【要約】【課題】ステップ運転の全容を視覚的に認識することができるとともに、ステップ運転条件の入力ミスを防ぐことができる遠心分離機を提供すること。【解決手段】モータと、該モータによって回転駆動されるロータと、該ロータに収容された試料を遠心分離するための運転条件を入力するキー入力部と、運転状態を表示する表示部と、読み書き可能な記憶部を備えた制御手段を有する遠心分離機において、複数段の運転条件で連続運転するステップ運転を行う場合、前記キー入力部によってステップ運転条件を入力した後、該ステップ運転条件を前記表示部に、回転速度を縦軸に、運転時間を横軸にした折れ線グラフで表示する。又、前記表示部に表示された折れ線グラフ上の運転が経過した部分の色を変える。【選択図】図３
2008100124.tif 000002
【特許請求の範囲】
【請求項１】
モータと、該モータによって回転駆動されるロータと、該ロータに収容された試料を遠心分離するための運転条件を入力するキー入力部と、運転状態を表示する表示部と、読み書き可能な記憶部を備えた制御手段を有する遠心分離機において、
複数段の運転条件で連続運転するステップ運転を行う場合、前記キー入力部によってステップ運転条件を入力した後、該ステップ運転条件を前記表示部に、回転速度を縦軸に、運転時間を横軸にした折れ線グラフで表示することを特徴とする遠心分離機。
【請求項２】
前記表示部に表示された折れ線グラフ上の運転が経過した部分の色を変えることを特徴とする請求項１記載の遠心分離機。
【発明の詳細な説明】
【技術分野】
【０００１】
本発明は、試料を収容したロータを所定の速度で所定の時間回転させて試料を遠心分離するための遠心分離機に関するものである。
【背景技術】
【０００２】
例えば、遺伝子等の遠心分離には複雑な処理が必要であるため、遠心分離機は、１つの運転条件で遠心分離を行うだけでなく、複数の運転条件を組み合わせて遠心分離を行う場合がある。従来の遠心分離機においては、複数の運転条件を組み合わせて運転する方法を「ステップ運転」と称し、複数の運転条件を予め遠心分離機に記憶させて運転していた。
【０００３】
上記ステップ運転において運転条件を記憶させる方法として、複数の運転条件を記憶する領域（以下、「メモリ領域」と称する）を設け、その１つのメモリ領域に最大９ステップの運転条件を記憶させる方法が採用されている。この方法では、１つのステップ運転条件に回転速度、運転時間、保持温度、加速勾配、減速勾配等が記憶される。
【０００４】
そして、従来の遠心分離機においてステップ運転を行う場合、メモリＮｏ．を指定して運転条件をメモリ領域から呼び出し、運転中は呼び出したメモリＮｏ．と現在運転しているステップＮｏ．及び終了ステップＮｏ．を表示している。又、近年、遠心分離機の使い勝手の向上を図るため、入力機能を兼備したタッチパネル機能付きカラー表示器を採用するようになってきた。
【特許文献１】特開２０００−３０１０２９号公報
【発明の開示】
【発明が解決しようとする課題】
【０００５】
しかしながら、従来の遠心分離機にあっては、運転条件を入力する方法としてステップ運転条件（回転速度、運転時間、保持温度、加速勾配、減速勾配等）を図８に示すように１ステップずつ入力する方法を採用していたため、入力桁（回転速度入力部及び運転時間入力部）の誤りを起こし易いという問題があった。
【０００６】
又、ステップ運転にて遠心分離機を運転する場合、運転中は呼び出したメモリＮｏ．と現在運転しているステップＮｏ．しか表示しないため、全ステップ運転のうち、どの程度ステップ運転が進捗しているのかを視覚的に認識することができず、残りの運転時間を視覚的に把握することができなかった。
【０００７】
本発明は上記問題に鑑みてなされたもので、その目的とする処は、ステップ運転の全容を視覚的に認識することができるとともに、ステップ運転条件の入力ミスを防ぐことができる遠心分離機を提供することにある。
【課題を解決するための手段】
【０００８】
上記目的を達成するため、請求項１記載の発明は、モータと、該モータによって回転駆動されるロータと、該ロータに収容された試料を遠心分離するための運転条件を入力するキー入力部と、運転状態を表示する表示部と、読み書き可能な記憶部を備えた制御手段を有する遠心分離機において、複数段の運転条件で連続運転するステップ運転を行う場合、前記キー入力部によってステップ運転条件を入力した後、該ステップ運転条件を前記表示部に、回転速度を縦軸に、運転時間を横軸にした折れ線グラフで表示することを特徴とする。
【０００９】
請求項２記載の発明は、請求項１記載の発明において、前記表示部に表示された折れ線グラフ上の運転が経過した部分の色を変えることを特徴とする。
【発明の効果】
【００１０】
請求項１記載の発明によれば、遠心分離機のステップ運転を行う場合、キー入力部によって入力されたステップ運転条件を表示部に折れ線グラフで表示するようにしたため、オペレータは、この折れ線グラフによってステップ運転の全容を視覚的に認識することができるとともに、ステップ運転条件の入力ミスを防ぐことができる。
【００１１】
請求項２記載の発明によれば、表示部に表示された折れ線グラフ上の運転が経過した部分の色が変化するため、この色の変化によってステップ運転の進捗状況を視覚的に認識することができる。
【発明を実施するための最良の形態】
【００１２】
以下に本発明の実施の形態を添付図面に基づいて説明する。
【００１３】
図１は本発明に係る遠心分離機の斜視図、図２は同遠心分離機の基本構成を示すブロック図であり、図示の遠心分離機１は、図１に示す矩形ボックス状の筐体２の内部に図２に示すチャンバ３や駆動源としてのモータ４等を収納して構成されている。
【００１４】
上記チャンバ３内には、遠心分離すべき不図示の試料が保持されるロータ５が収容されており、このロータ５は、前記モータ４の上方へ延びる出力軸６の先端に着脱可能に装着されている。又、チャンバ３の上部は開口しており、その上部開口部はドア７によって開閉され、ドア７を開けてロータ５をチャンバ３内に収納セットした後、ドア７を閉じてチャンバ３を密閉した上で運転が開始されてロータ５が回転駆動され、該ロータ５に収容された不図示の試料が遠心分離される。
【００１５】
又、図１に示すように、筐体２の上部には操作パネル８が設けられており、この操作パネル８にはタッチパネル機能付きカラー液晶表示部９とテンキー入力部１０が設けられている。
【００１６】
更に、筐体２には図２に示す制御手段としてのＣＰＵ１１が内蔵されている。このＣＰＵ１１は、オペレータによって操作パネル８の前記テンキー入力部１０から入力される運転条件に基づく制御信号をモータ４に送信して該モータ４の駆動、つまりロータ５の回転を制御するためのものであって、これには操作パネル８のタッチパネル機能付きカラー液晶表示部９とテンキー入力部１０の他、制御プログラムを記憶するための読み取り専用のＲＯＭ１２と運転時間を記憶するための読み書き可能なＲＡＭ１３が接続されており、ＲＡＭ１３にはバックアップ用のバッテリ１４が接続されている。
【００１７】
次に、以上の構成を有する遠心分離機１の運転制御方法を図３〜図９に基づいて説明する。
【００１８】
図３及び図４は運転条件を表示画面に折れ線グラフでグラフィック表示した一例を示す図、図５〜図９はステップ運転設定手順を表示する画面を示す図である。
【００１９】
オペレータは、遠心分離機１のドア７を開け、遠心分離すべき試料を収容したロータ５をチャンバ３内に収納してモータ４の出力軸６に装着し、操作パネル８のテンキー入力部１０から運転条件を入力し、その内容をタッチパネル機能付きカラー液晶表示部９に表示する。ここで、運転条件には、図５及び図６に示すように、回転速度（ＳＰＥＥＤ）、運転時間（ＴＩＭＥ）、保持温度（ＴＥＭＰ）、加速勾配（ＡＣＣＥＬ）、減速勾配（ＤＥＣＥＬ）等があり、これらはＣＰＵ１１によってＲＡＭ１３に記憶される。
【００２０】
ここで、ステップ運転の運転条件の入力方法を図５〜図８に基づいて説明する。
【００２１】
図５に示すＲＵＮ  ＳＣＲＥＥＮ画面上のＦＵＮＣＴＩＯＮ部の「ＰＲＯＧ」を選択すると、ＦＵＮＣＴＩＯＮ部が図６に示すように「ＰＲＯＧＲＡＭ」となる。そして、「ＰＲＯＧＲＡＭ」にカーソルを移動して選択すると、図７に示すように、画面には「Ｐｒｏｇｒａｍ  Ｍａｐ」が表示される。
【００２２】
「Ｐｒｏｇｒａｍ  Ｍａｐ」は、メモリ登録エリアの登録状況を示すものであって、この「Ｐｒｏｇｒａｍ  Ｍａｐ」中の「Ｎｏ．」の０１〜０７は７個のステップ運転設定を格納するエリアを示し、「Ｓｔｅｐ」はステップ運転のステップ数を示す。又、「Ｐａｒａｍｅｔｅｒ」にはステップ運転の最初のステップの設定回転速度が表示される。
【００２３】
そして、画面上の「●Ｅｎｔｅｒ  ｔｈｅ  ｄｅｓｉｒｅｄ  ｎｕｍｂｅｒ．」にてメモリＮｏ．を選択すると、ステップ運転設定を行う画面が表示される。例えば、メモリＮｏ．７のエリアを選択すると、図８に示すように、「ＭＥＭＯＲＹ  Ｎｏ．７」に記憶されているステップの設定条件が全て表示される。この画面で「２：Ｃｒｅａｔｉｎｇ  ｏｒ  Ｃｈａｎｇｉｎｇ」を選択すると、図９に示すように、ステップ運転の設定条件として回転速度（ＳＰＥＥＤ）、運転時間（ＴＩＭＥ）、保持温度（ＴＥＭＰ）、加速勾配（ＡＣＣＥＬ）、減速勾配（ＤＥＣＥＬ）を各ＳＴＥＰ１〜７毎に入力することが可能となる。
【００２４】
そして、ステップ条件を入力した後、「●Ｄｏ  ｙｏｕ  ｓａｖｅ  ａｌｌ  ｔｈｅｓｅ  ｒｕｎ  ｃｏｎｄｉｔｉｏｎｓ？」で「１．Ｙｅｓ」を入力して確定すると、入力したステップ運転設定値のうち、最大の設定回転速度が縦軸の最大値となり、入力したステップ運転の全ステップのＴＩＭＥ（設定時間）のトータル値が横軸の最大値となるように、ステップ運転設定条件が図３に示すように折れ線グラフで表示され、オペレータは、この折れ線グラフによってステップ運転設定条件を視覚的に確認することができる。
【００２５】
尚、図３に示すように画面に折れ線グラフを表示したとき、グラフの空きスペースを利用して各ステップの回転速度と運転時間を表示しても良い。又、運転条件を折れ線グラフで表示しているときに回転速度又は運転時間の設定をタッチパネル機能付きカラー液晶表示部９のタッチパネルを触ることによって変更するようにしても良い（例えば、回転速度を５０００ｒｐｍから４０００ｒｐｍに変更する）。この場合、変更することができる単位は、回転速度については縦軸に指定した最大回転速度に対するタッチパネル機能付きカラー液晶表示部９の縦軸のドットで決定し、運転時間についても入力したステップ運転設定値のＴＩＭＥ（設定時間）のトータル値に対するタッチパネル機能付きカラー液晶表示部９の横軸のドットで決定する。
【００２６】
次に、ステップ運転方法について説明する。
【００２７】
図５に示すＲＵＮ  ＳＣＲＥＥＮ画面のＦＵＮＣＴＩＯＮ部の「ＰＲＯＧ」を選択すると、ＦＵＮＣＴＩＯＮ部が図６に示すように「ＰＲＯＧＲＡＭ」となる。そして、ＭＥＭＯＲＹ部に運転したいメモリのＮｏ．を入力すると、最初のステップの設定条件がＲＵＮ  ＳＣＲＥＥＮ画面に表示され、ＰＲＯＧＲＡＭ部のＳＴＥＰ表示部に最初のステップと終了ステップのＮｏ．が表示される。メモリ内容を確認したい場合は、「ＰＲＯＧＲＡＭ」を選択し、図７に示すＰｒｏｇｒａｍ  Ｍａｐ等で確認する。
【００２８】
図６に示すように運転したいメモリ内容を呼び出した後、ＦＵＮＣＴＩＯＮ部の「ＰＲＯＧＲＡＭ」中の「ＧＲＡＦＩＣ」を選択すると、図４に示すように、ステップ運転設定条件を折れ線グラフで表示し、運転が開始されると、運転が経過した部分の折れ線グラフの色が変化し（図４では色の変化を太線で示す）、この色の変化によってステップ運転の進捗状況を視覚的に認識することができる。
【００２９】
以上のように、本実施の形態では、遠心分離機１のステップ運転を行う場合、操作パネル８のテンキー入力部１０によって入力されたステップ運転条件を図３に示すように操作パネル８のタッチパネル機能付きカラー液晶表示部９に折れ線グラフで表示するようにしたため、オペレータは、この折れ線グラフによってステップ運転の全容を視覚的に認識することができるとともに、ステップ運転条件の入力ミスを防ぐことができる。
【００３０】
又、本実施の形態によれば、図４に示すように、タッチパネル機能付きカラー液晶表示部９に表示された折れ線グラフ上の運転が経過した部分の色を変化させるようにしたため、この色の変化によってステップ運転の進捗状況を視覚的に認識することができる。
【００３１】
尚、本実施の形態では、表示部としてカラー液晶表示部を用いたが、単色の表示部であっても良く、進行状況を表す場合は、線の太さを変えたり、丸印等の記号を用いて対応しても良い。
【図面の簡単な説明】
【００３２】
【図１】本発明に係る遠心分離機の斜視図である。
【図２】本発明に係る遠心分離機の基本構成を示すブロック図である。
【図３】本発明に係る遠心分離機の運転条件を表示画面に折れ線グラフでグラフィック表示した一例を示す図である。
【図４】本発明に係る遠心分離機のステップ運転の進捗状況を折れ線グラフの色を変えて示す図である。
【図５】本発明に係る遠心分離機のステップ運転設定手順を表示する画面を示す図である。
【図６】本発明に係る遠心分離機のステップ運転設定手順を表示する画面を示す図である。
【図７】本発明に係る遠心分離機のステップ運転設定手順を表示する画面を示す図である。
【図８】本発明に係る遠心分離機のステップ運転設定手順を表示する画面を示す図である。
【図９】本発明に係る遠心分離機のステップ運転設定手順を表示する画面を示す図である。
【符号の説明】
【００３３】
１      遠心分離機
２      筐体
３      チャンバ
４      モータ
５      ロータ
６      モータ出力軸
７      ドア
８      操作パネル
９      タッチパネル機能付きカラー液晶表示部
１０    テンキー入力部（キー入力部）
１１    ＣＰＵ
１２    ＲＯＭ
１３    ＲＡＭ（読み書き可能な記憶部）
１４    バッテリ
【図１】
2008100124.tif 000003
【図２】
2008100124.tif 000004
【図３】
2008100124.tif 000005
【図４】
2008100124.tif 000006
【図５】
2008100124.tif 000007
【図６】
2008100124.tif 000008
【図７】
2008100124.tif 000009
【図８】
2008100124.tif 000010
【図９】
2008100124.tif 000011